(57)【要約】【課題】浴室１内でテレビ画面を鑑賞するためには、テレビユニット２を透明板もしくはハーフミラー板３の背部に設置して浴室１内から隔絶しなければ、浴室内の湯水や水蒸気でテレビユニット２が故障するおそれが生じる。このようにテレビユニット２がハーフミラー３で隔絶されるとテレビユニット２の操作はリモコン４を介して行わなければならない。例えばテレビユニット２の電源がオンの状態でリモコン４の電池が切れると電池を入れ替えるまでテレビユニット２の電源をオフにできない。【解決手段】センサ位置５を設け、このセンサ位置５にタッチしたことを検知するタッチセンサを設けて、センサ位置５をタッチすればテレビユニット２の電源を強制的にオフにするようにした。【選択図】  図１
2005333514.tif 000002
【特許請求の範囲】
【請求項１】
浴室内から透明板もしくはハーフミラー板からなる隔絶板を介して鑑賞し得るように設置され、浴室内から電池駆動式のリモコンを介して少なくとも電源のオンオフ操作がされるテレビユニットを有する浴室用テレビ装置において、浴室内からこのリモコンを使用せずに少なくともテレビユニットの電源をオフにする非常電源オフ手段を備えたことを特徴とする浴室用テレビ装置。
【請求項２】
上記非常電源オフ手段は、他の機器に使用されているリモコンが採用する信号コードのうち、少なくとも電源をオフにする信号コードを記憶しておき、その信号コードを受信した場合に上記テレビユニットの電源をオフにすることを特徴とする請求項１に記載の浴室用テレビ装置。
【請求項３】
上記非常電源オフ手段は、浴室内の人間が上記隔絶板の表面にタッチしたことを検知するタッチセンサを備え、隔絶板の表面にタッチされた場合に上記テレビユニットの電源をオフにすることを特徴とする請求項１に記載の浴室用テレビ装置。
【請求項４】
上記タッチセンサは、隔絶板の後側から前方に向かって検知光を照射する投光部と、隔絶板の表面にタッチした人体に反射した検知光を受光し、検知信号を出力する受光部とから構成されたことを特徴とする請求項３に記載の浴室用テレビ装置。
【請求項５】
上記非常電源オフ手段は上記隔絶板の裏面に取り付けられた温度センサを有し、隔絶板の表面に連続して湯がかけられたことによる隔絶板の温度上昇をこの温度センサで検知し、所定温度に達した場合に上記テレビユニットの電源をオフにすることを特徴とする請求項１に記載の浴室用テレビ装置。
【請求項６】
上記非常電源オフ手段は上記隔絶板の裏面に取り付けられた振動センサを有し、所定の対応で隔絶板の表面がノックされた場合に上記テレビユニットの電源をオフにすることを特徴とする請求項１に記載の浴室用テレビ装置。
【請求項７】
上記非常電源オフ手段は上記隔絶板の裏面に取り付けられた磁気センサを有し、隔絶板の表面に磁石が近接されると上記テレビユニットの電源をオフにすることを特徴とする請求項１に記載の浴室用テレビ装置。
【請求項８】
上記磁石は上記リモコンに付設されたことを特徴とする請求項７に記載の浴室用テレビ装置。
【請求項９】
上記テレビユニットの操作を行うリモコンは赤外線式のリモコンであって、テレビユニット側はリモコンから射出される赤外線を受光する受光部を備え、非常電源オフ手段はこの受光部に所定レベル以上の可視光線が所定の態様で受光された場合に、テレビユニットの電源をオフにすることを特徴とする請求項１に記載の浴室用テレビ装置。
【発明の詳細な説明】
【技術分野】
【０００１】
本発明は、浴室内からリモコンで操作される浴室用テレビ装置に関する。
【背景技術】
【０００２】
入浴中にテレビを鑑賞したいという要求があり、入浴中に浴室内で鑑賞することのできる浴室用テレビ装置が多数提案されている。浴室は高温多湿であるため通常の室内で使用するテレビ装置をそのまま浴室内に設置することができない。そのため、浴室用のテレビ装置は浴室内の湯水や水蒸気に対して防水対策を施さなければならない。
【０００３】
このような防水対策として、例えば浴室の壁面に窓穴を開設すると共に、その窓穴をガラス等の透明な隔絶板で閉塞し、隔絶板の後方にテレビユニットを設置したものが知られている（例えば、特許文献１参照）。
【０００４】
このものでは、テレビユニットを隔絶板によって浴室側から完全に隔絶することができるので、浴室内の湯水や水蒸気がテレビユニットに及ぶ心配はない。ただし、浴室側からテレビユニットが完全に隔絶されるため、浴室側からテレビユニットに触れることができない。そのためテレビユニットの電源のオンオフ操作やチャンネルの変更操作、あるいは音量の増減操作は全て浴室側からリモコンを介して行わなければならない。
【特許文献１】実用新案登録第２５０３５６４号公報（図１）
【発明の開示】
【発明が解決しようとする課題】
【０００５】
テレビユニットの操作を行うリモコンは一般に電池で駆動される。また、リモコンにはこの電池の容量の残量を表示する手段が設けられていないのが一般的である。そのため、テレビユニットをオンした状態で、電池が消耗してテレビユニットの電源をオフすることができなくなるおそれがある。
【０００６】
テレビユニットを直接操作することができればこのような場合に特に問題となることはないが、上述のようにテレビユニットは隔絶板の後方に設置されているのでテレビユニットに触れることができない。そのため、テレビユニットがオンの状態でリモコンが作動しなくなったら、リモコンの電池を交換するか、テレビユニットに電源を供給している電気系統のブレーカを一旦オフにしなければならない。
【０００７】
リモコン用の電池として、いわゆるボタン電池が採用されている場合には、そのボタン電池と同じものが一般家庭に予備としてストックされている可能性はきわめて低い。また、ブレーカを一旦オフにする作業は大げさで煩わしい。
【０００８】
そこで本発明は、上記の問題点に鑑み、リモコンが作動しなくなってもテレビユニットの電源をオフにすることのできる浴室用テレビ装置を提供することを課題とする。
【課題を解決するための手段】
【０００９】
上記課題を解決するために本発明による浴室用テレビ装置は、浴室内から透明板もしくはハーフミラー板からなる隔絶板を介して鑑賞し得るように設置され、浴室内から電池駆動式のリモコンを介して少なくとも電源のオンオフ操作がされるテレビユニットを有する浴室用テレビ装置において、浴室内からこのリモコンを使用せずに少なくともテレビユニットの電源をオフにする非常電源オフ手段を備えたことを特徴とする。
【００１０】
ここで、上記非常電源オフ手段は、他の機器に使用されているリモコンが採用する信号コードのうち、少なくとも電源をオフにする信号コードを記憶しておき、その信号コードを受信した場合に上記テレビユニットの電源をオフにする。
【００１１】
テレビ用に用いられるリモコンは各メーカで相違する信号コードを採用している。そのため、他メーカのリモコンでテレビユニットやテレビ装置の操作を行うことはできない。ただし、各メーカの信号コードのほとんどは公開されている。そこで、各メーカの少なくとも電源オフ用の信号コードを記憶しておけば、どのメーカのリモコンでも上記テレビユニットの電源をオフにすることができる。
【００１２】
また、他メーカのリモコンが無い場合であっても、上記非常電源オフ手段は、浴室内の人間が上記隔絶板の表面にタッチしたことを検知するタッチセンサを備え、隔絶板の表面にタッチされた場合に上記テレビユニットの電源をオフにするように構成すればよい。
【００１３】
ここで、タッチセンサは特定の構成のものに限定されず、隔絶板の表面にタッチしたことを検知するセンサであればどのような構成のものであってもよい。
【００１４】
例えば、上記タッチセンサは、隔絶板の後側から前方に向かって検知光を照射する投光部と、隔絶板の表面にタッチした人体に反射した検知光を受光し、検知信号を出力する受光部とから構成してもよい。
【００１５】
このタッチセンサを用いる構成の他には、例えば、上記非常電源オフ手段は上記隔絶板の裏面に取り付けられた温度センサを有し、隔絶板の表面に連続して湯がかけられたことによる隔絶板の温度上昇をこの温度センサで検知し、所定温度に達した場合に上記テレビユニットの電源をオフにするように構成してもよい。
【００１６】
浴室内であればシャワーやカランから湯を容易に得ることができる。また、浴槽内には湯が張られている。これらの湯を隔絶板にかければ隔絶板の温度が上昇し、テレビユニットの電源をオフにすることができる。
【００１７】
あるいは、上記非常電源オフ手段は上記隔絶板の裏面に取り付けられた振動センサを有し、所定の対応で隔絶板の表面がノックされた場合に上記テレビユニットの電源をオフにするように構成してもよい。
【００１８】
このように構成すれば、他メーカのリモコンや湯を用いなくても、隔絶板をノックするだけでテレビユニットの電源をオフにすることができる。
【００１９】
さらには、上記非常電源オフ手段は上記隔絶板の裏面に取り付けられた磁気センサを有し、隔絶板の表面に磁石が近接されると上記テレビユニットの電源をオフにするように構成してもよい。
【００２０】
この構成によれば、リモコンを用いなくても磁石を隔絶板に近接させるだけでテレビユニットの電源をオフにできる。
【００２１】
なお、上記磁石を上記リモコンに付設しておけば、浴室の外に磁石を探しに行く必要がない。
【００２２】
また、上記テレビユニットの操作を行うリモコンは赤外線式のリモコンであって、テレビユニット側はリモコンから射出される赤外線を受光する受光部を備え、非常電源オフ手段はこの受光部に所定レベル以上の可視光線が所定の態様で受光された場合に、テレビユニットの電源をオフにするように構成してもよい。
【００２３】
赤外線式のリモコンの場合、テレビユニット側にはリモコンからの赤外線を受光する受光部が設けられている。この受光部はリモコンからの赤外線以外の光を受光しても反応し、信号を出力する。通常はこのような信号は外乱としてフィルタ等で除去し、リモコンからの赤外線に重畳された信号コードを抽出する。ただし、受光部に懐中電灯等からの強い光を照射すると外乱のレベルが変化する。そのレベルを検出してテレビユニットの電源をオフにする。
【発明の効果】
【００２４】
以上の説明から明らかなように、本発明は、浴室から隔絶板によって隔絶されたテレビユニットの電源を通常使用するリモコンを用いることなくオフにできるので、テレビユニットの電源がオンの状態でリモコンの電池が切れた場合、リモコン用の予備の電池がストックされていなくても、テレビユニットに電源を供給している電気系統のブレーカをオフにすることなくテレビユニットの電源をオフにすることができる。
【発明を実施するための最良の形態】
【００２５】
図１を参照して、１は浴室であり、この浴室１には隔絶板であるハーフミラー３が取り付けられている。このハーフミラー３の背部にはテレビユニット２が配設されている。このテレビユニット２はバックライトを備えた液晶画面を備えており、テレビユニット２の電源がオフの状態ではハーフミラー３全面が鏡状態となり、浴室側からテレビユニット２を目視することはできない。テレビユニット２の電源がＯＮになって画面が明るくなると、ハーフミラー３にテレビ画像が浮き上がって鑑賞することができるようになる。
【００２６】
このテレビユニット２の電源のオンオフ操作、チャンネルの変更操作、音量の増減操作等の全ての操作は、浴室１内からリモコン４を介して行う。リモコン４は防水構造になっており、かつ浴槽内に落下させても湯中に沈まず水面に浮くように設計されている。このリモコン４の電源はボタン型の電池であり、そのボタン電池を電源として、リモコン４は所定の信号コードが重畳された赤外線を照射する。
【００２７】
テレビユニット２にはリモコン４が照射した赤外線を受光する受光部２１が設けられている。この受光部２１には赤外線フォトダイオードが組み込まれており、受光した赤外線の強弱に応じた電気信号を出力する。ただし、赤外線フォトダイオードは赤外線以外の可視光線にも反応して、可視光線が受光されてもある程度レベルの信号を出力する。
【００２８】
５は後述する各種センサを設置するセンサ位置である。また、浴室１内にはハンドシャワー６が設置されている。このハンドシャワー６から吐出される温水の温度は浴室１内で調節することができ、水道水と同じ温度の冷水から、入浴者が火傷しない程度の温度の熱水まで吐出温度を自由に調節することができる。
【００２９】
ハーフミラー３は浴室１に対して気密に取り付けられており、浴室１内の湯水はもちろん、水蒸気もハーフミラー３の背面側へは侵入しないように施工されている。
【００３０】
上記受光部２１でリモコン４から照射された赤外線を受光すると、バンドパスフィルタを通して外乱の影響を除去した後、赤外線に重畳されている信号コードを解読する。テレビユニット２内には信号コードが予め記憶されており、解読した信号コードが例えば音量を上げる信号コードと一致すれば、テレビ音声の音量を上げるように制御される。
【００３１】
また、解読した信号コードがテレビユニット２の電源をオフにする信号コードに一致すると、テレビユニット２の電源をオフにするように制御される。ところで、本実施の形態では、１つの操作に対応する信号コードとして各々１種類の信号コードをテレビユニット２に格納している。ただし、テレビユニット２の電源をオフにする信号コードは例外として、複数の信号コードを格納した。
【００３２】
テレビ受像機のリモコンに用いる信号コードは各メーカで相違するものの、ほとんどのメーカは自社の信号コードを公開している。そこで、上記テレビユニット２は各メーカの採用している信号コードのうち電源をオフにする信号コードを格納した。このように構成することにより、テレビユニット２専用のリモコン４以外の他のメーカのリモコンであっても、テレビユニット２の電源をオフにすることができる。
【００３３】
ただし、他のメーカのテレビ用リモコンが各家庭に必ずしもあるとは限らないので、その場合には、図２に示すように、上記センサ位置５にタッチセンサを設置した。このタッチセンサは投光ユニット５１と受光ユニット５２とから構成される。投光ユニット５１からはテレビユニット２の電源がオン状態に常時赤外線をハーフミラー３の前方に向かって射出している。しかしその射出方向に受光ユニット５２が位置していないので、赤外線は受光ユニット５２に受光されない。ところが、センサ位置５を浴室１の内側から指Ｆでタッチすると、投光ユニット５１から射出されている赤外線が指Ｆで反射して受光ユニット５２に受光される。
【００３４】
受光ユニット５２は赤外線を受光すると検知信号をテレビユニット２内の制御部へ出力する。この制御部は検知信号が入力されるとテレビユニット２の電源を強制的にオフにするように設定されている。これにより、リモコン４を用いなくても、センサ位置５を指Ｆでタッチするだけでテレビユニット２の電源をオフにすることができる。ところで、タッチセンサは図２に示したものだけに限られず、静電容量式のタッチセンサやその他の形式のタッチセンサを用いてもよい。
【００３５】
また、センサ位置５にはタッチセンサの他に、図３に示すように、温度センサであるサーミスタ５３を取り付けてもよい。このサーミスタ５３はハーフミラー３の温度を検知することができる。そのため、センサ位置５の前面にハンドシャワー６で温水もしくは熱水を連続してかけると、サーミスタ５３の検知する温度はハンドシャワー６で温水もしくは熱水をかけ出した時点から急速に上昇する。
【００３６】
サーミスタ５３はテレビユニット２の制御部に接続されており、制御部はサーミスタ５３が検知する温度が所定の温度、例えば４０℃程度に設定した所定温度を超えると、テレビユニット２の電源を強制的にオフにするように設定されている。従って、センサ位置５に温水または熱水を連続してかけると、リモコン４によらずにテレビユニット２の電源をオフにすることができる。
【００３７】
また、図４に示すように、センサ位置５には振動センサ５４を取り付けてもよい。この振動センサ５４はハーフミラー３に衝撃が加えられると、その衝撃による振動を検知する。そして、この振動センサ５４はテレビユニット２の制御部に接続されている。制御部には予め所定の振動パターンが格納されている。このパターンとは例えば所定時間に所定回数の振動が検知された場合であって、そのパターンの振動が検知されるとテレビユニット２の電源を強制的にオフにするように設定されている。例えば２秒間に４回の振動が検知された場合に電源をオフにするように設定されている場合には、浴室１内側からセンサ位置５を手Ｈですばやく２秒以内に４回以上ノックすることにより、リモコン４を用いなくてもテレビユニット２の電源をオフにすることができる。
【００３８】
さらに、図５に示すように、ハーフミラー３の裏面であってセンサ位置５に対応する位置に磁気センサ５５を設けてもよい。この磁気センサ５５はホール素子を内蔵したものでもよく、あるいは磁性体からなる可動電極を備えたスイッチ型のものでもよい。そして、リモコン４の下面４１側に永久磁石４２を埋設した。
【００３９】
この永久磁石４２をハーフミラー３の前面側からセンサ位置５に近接させると永久磁石４２の形成する磁界を磁気センサ５５が検知し検知信号を出力する。この検知信号はテレビユニット２の制御部に入力され、制御部はこの検知信号の入力によってテレビユニット２の電源をオフにする。
【００４０】
ところで、図５に示した永久磁石４２は磁気センサ５５が検知することのできる磁界を発生することができる最小限の大きさにしたが、更に大きく強力な永久磁石をリモコン４に付設して、その永久磁石の磁力によってリモコン４が浴室１などに吸着保持されるようにしてもよい。
【００４１】
上記図２から図５に示した形態ではセンサ位置５に別途のセンサを設けたが、図６に示すように、受光部２１に懐中電灯Ｔなどで比較的強い光を受光部２１に受光させてもよい。この受光部２１には上述のように赤外線フォトダイオードが内蔵されているが、懐中電灯Ｔが照射する可視光線にも反応し、可視光線が受光されると受光部２１の出力信号レベルが増加する。そこで、例えば所定レベル以上の強さの可視光線が所定時間以上継続して受光された場合や、所定時間内に所定回数受光された場合にテレビユニット２の電源を強制的にオフにするようにしてもよい。
【００４２】
例えば、所定時間内に所定回数の可視光線の受光があった場合にテレビユニット２の電源をオフにする場合には、懐中電灯Ｔを受光部２１の前で振ることによりリモコン４を用いることなくテレビユニット２の電源をオフにすることができる。
【００４３】
なお、本発明は上記した形態に限定されるものではなく、本発明の要旨を逸脱しない範囲内において種々の変更を加えてもかまわない。
【図面の簡単な説明】
【００４４】
【図１】本発明の一実施の形態の構成を示す図
【図２】タッチセンサを用いた場合の構成を示す図
【図３】温度センサを用いた場合の構成を示す図
【図４】振動センサを用いた場合の構成を示す図
【図５】磁気センサを用いた場合の構成を示す図
【図６】懐中電灯により電源をオフにする状態を示す図
【符号の説明】
【００４５】
１ 浴室
２ テレビユニット
３ ハーフミラー
４ リモコン
６ ハンドシャワー
２１ 受光部
５１ 投光ユニット
５２ 受光ユニット
５３ サーミスタ
５４ 振動センサ
５５ 磁気センサ
【図１】
2005333514.tif 000003
【図２】
2005333514.tif 000004
【図３】
2005333514.tif 000005
【図４】
2005333514.tif 000006
【図５】
2005333514.tif 000007
【図６】
2005333514.tif 000008